(57)【特許請求の範囲】
【請求項１】
牛が歩行可能な床面を構成するコンクリート製の牛用床において、
上記床面に、該床面の一般面より突出する多数の突出部を行列状に設け、
該突出部の底面の直径Ｄを、Ｄ＝１００±１０ｍｍとし、高さＨを、Ｈ＝８±２ｍｍとし、当該突出部の行列方向のピッチＰを、Ｐ＝１５０±１０ｍｍとし、
上記突出部を円錐台状に形成し、該突出部の上面の直径ｄを、ｄ＝８４±１０ｍｍとし、
無機質コンクリートで形成された基礎と、該基礎を被覆する樹脂コンクリートで形成された被覆層とを備え、上記突出部を被覆層で形成したことを特徴とする牛用床。
【請求項２】
上記被覆層の表面側に、粉粒状の防滑材を混入したことを特徴とする請求項１記載の牛用床。
【請求項３】
上記樹脂コンクリートとして、メタクリレート系樹脂コンクリートを用いたことを特徴とする請求項１または２記載の牛用床。
【請求項４】
無機質コンクリートで形成された基礎と、樹脂コンクリートで形成され上記基礎を被覆して牛が歩行可能な床面を構成する被覆層と、該被覆層で形成され床面の一般面より突出し行列状に設けられた多数の突出部とを備えた牛用床であって、該突出部の底面の直径Ｄを、Ｄ＝１００±１０ｍｍとし、高さＨを、Ｈ＝８±２ｍｍとし、当該突出部の行列方向のピッチＰを、Ｐ＝１５０±１０ｍｍとし、上記突出部を円錐台状に形成し、該突出部の上面の直径ｄを、ｄ＝８４±１０ｍｍとした牛用床を構築する牛用床の施工方法において、
上記基礎を構築する基礎構築工程と、上記基礎の表面に樹脂コンクリートを被覆して基盤を形成する基盤形成工程と、上記基盤の表面に樹脂コンクリートにより突出部を形成する突出部形成工程とを備えたことを特徴とする牛用床の施工方法。
【請求項５】
上記突出部形成工程を、突出部本体を型成形する突出部本体成形工程と、該突出部本体の表面を上記露出した基盤の表面とともに樹脂コンクリートで被覆する仕上げ工程とを備えて構成し、上記突出部本体成形工程において、板状の本体に貫通して設けられ上記突出部本体に対応した形状の凹部を有した型を用い、上記基盤に上記型を複数敷設し、この敷設された型の凹部に流状の樹脂コンクリートを流し込み、その後、固化させた後、型を引き剥がして突出部本体を成形することを特徴とする請求項４記載の牛用床の施工方法。
【請求項６】
上記仕上げ工程において、樹脂コンクリートに、粉粒状の防滑材を混入したことを特徴とする請求項５記載の牛用床の施工方法。
【請求項７】
上記基盤を、種類の異なる複数の樹脂コンクリートを積層して形成したことを特徴とする請求項４乃至６何れかに記載の牛用床の施工方法。
【請求項８】
上記樹脂コンクリートとして、メタクリレート系樹脂コンクリートを用いたことを特徴とする請求項４乃至７何れかに記載の牛用床の施工方法。
【発明の詳細な説明】
【技術分野】
【０００１】
本発明は、牛が歩行可能な床面を有した牛用床及びその施工方法に係り、特に、屠殺場等の牛を一時的に停留させる場所に適用される牛用床及びその施工方法に関する。
【背景技術】
【０００２】
一般に、牛の屠殺場においては、牛の屠殺前に、例えば、牛を一夜一時的に停留させておく場所があるが、この場所の床は、一般に、コンクリートで形成されている。また、床面は、一般に、平面に形成されている。
このような床を有した場所に、牛を一時的に停留させると、床面が平滑なので、牛が歩行した際に転倒することがあった。牛は、転倒すると股割れ等の怪我をすることがあり、そのため、品質が低下するという問題があった。
【０００３】
従来、このような問題を解決するために、例えば、特許文献１（特開２００４−２６７２１８号公報）に記載されたものが知られている。これは、図１０に示すように、牛１頭が起立、座臥あるいは横臥するのに必要な広さを有する矩形状に形成されたマットであって、このマットの表面にマットの長手方向と平行な溝条１００または突条を並設し、裏面に半球状の凹部１０１を複数設けている。このマットを、例えば、牛舎等の牛が起立、座臥あるいは横臥する場所の床に敷設して使用する。これにより、牛が座臥状態から起立動作をする場合、脚が外側方向に滑りやすいが、表面に設けられた溝条１００または突条に脚が引っ掛かるため、この溝条１００または突条によって脚が滑ることが防止される。また、マットの裏面に設けられた凹部１０１により、マットが敷設されている床からずれることを防止できるとともに、牛が起立する際に牛の脚に掛かる衝撃を和らげることができる。
【０００４】
また、上記の問題を解決するために、例えば、特許文献２（特開２００４−１９０４６２号公報）、または、特許文献３（特開２００２−１５３１５５号公報）に記載されているように、コンクリートの面に凹凸を設けることも考えられる。
特許文献２に記載の技術は、図１１に示すように、矩形状のベース１１０に、直径１２ｍｍ，高さ５ｍｍの円筒状の点状突起１１１を複数設けてなる。この点状突起１１１は、ゴムで構成されているので、牛がベース１１０上を歩行した際に、滑って転倒することを防止することができる。
また、特許文献３に記載の技術は、図１２に示すように、ゴムで構成されたマットの裏面に円形の凸部１２０を複数縦横に形成してなる。また、表面１２１を粗く形成して滑り止めとしている。このマットをコンクリートの面に敷設すると、裏面に形成された凹凸により、マットが床からずれることを防止できるとともに、牛が起立する際に牛の脚に掛かる衝撃を和らげることができる。
【０００５】
【特許文献１】特開２００４−２６７２１８号公報
【特許文献２】特開２００４−１９０４６２号公報
【特許文献３】特開２００２−１５３１５５号公報
【発明の開示】
【発明が解決しようとする課題】
【０００６】
しかしながら、この従来の牛用床において、前者（特許文献１）の技術は、牛１頭が起立、座臥あるいは横臥するのに必要な広さを有するマットを床に敷設しているので、広範囲に亘って床に滑り止め効果を付す場合、多数のマットを使用しなければならず、それだけ、コスト高になるという問題があった。また、多数のマットを敷設しなければならないので、敷設作業が煩雑になるという問題もあった。
また、後者（特許文献２，３）の技術においては、牛が歩行する面に、小さな突部を形成し、あるいは面を粗くし微小な凹凸を形成して、床に滑り止め効果を付してはいるが、突部が小さく、且つ各突部間のピッチが細かいので、牛等の蹄の大きな動物には、滑り止め効果が十分に発揮されず、牛が歩行した際に転倒し易いという問題があった。また、マットを敷設するものでは、水が裏面に入り易くなるので、衛生面上の問題も生じる。
【０００７】
本発明は、このような問題点に鑑みてなされたもので、牛が歩行する際、滑って転倒しにくい床面を形成し、牛の転倒による品質低下を防止する牛用床及びその施工方法を提供することを目的とする。
【課題を解決するための手段】
【０００８】
このような目的を達成するため、本発明の牛用床は、牛が歩行可能な床面を構成するコンクリート製の牛用床において、上記床面に、該床面の一般面より突出する多数の突出部を行列状に設け、該突出部の底面の直径Ｄを、４０ｍｍ≦Ｄ≦１９０ｍｍとし、高さＨを、３ｍｍ≦Ｈ≦２０ｍｍとし、当該突出部の行列方向のピッチＰを、１００ｍｍ≦Ｐ≦２００ｍｍとした構成としている。望ましくは、Ｄ＝１００±１０ｍｍ、Ｈ＝８±２ｍｍ、Ｐ＝１５０±１０ｍｍとしている。
【０００９】
これにより、一般に、牛の蹄の大きさは、１００ｍｍ〜１５０ｍｍ程度であるので、牛が歩行すると、多数設けられた突出部のうち、隣接する突出部間に、牛の蹄の全部若しくは一部が入り込むようになるとともに、入り込んだ牛の蹄が突出部の側面に衝止されて動きが規制されるようになる。この場合、高さＨを上記の範囲内に設定することにより、入り込んだ牛の蹄が突出部の側面に確実に衝止されるようになる。即ち、牛が歩行する際、隣接する突出部間に蹄が入り込むようになり、これにより、蹄の床面上の動きが規制されるので、蹄が滑って、牛が転倒することが防止され、牛の転倒に伴う、股割れ等の怪我を防止でき、そのため、牛の品質が低下することを防止することができる。
【００１０】
そして、必要に応じ、上記突出部を円錐台状に形成した構成としている。これにより、突出部の側面がテーパ状になるので、牛が歩行する際、牛の蹄が隣接する突出部間に入り込みやすくなるとともに、牛の蹄が突出部の側面に強く当たったとき、蹄は突出部の上面に乗り上げるようになり、そのため、牛が躓いて転倒することを防止することができる。また、蹄が突出部の上面に乗ったときは、突出部の上面は平面なので、蹄が滑ることがあるが、突出部の側面がテーパ状になっているので、蹄は滑り落ちて、隣接する何れかの突出部の側面に衝止されるようになり、そのため、牛が転倒することが防止される。更に、蹄の一部のみが突出部の上面に乗ったとき、特に、踵が乗ったときは、前方に滑ることがあるが、このときも突出部の側面がテーパ状になっているので、蹄は滑り落ちて、隣接する前方の突出部の側面に衝止され、牛が転倒することが防止される。更にまた、蹄の一部、特に、蹄の爪先や横部が突出部の上面に乗ったときは、横滑りすることがあるが、このときも突出部の側面がテーパ状になっているので、蹄は滑り落ちて、隣接する何れかの突出部の側面に衝止されるようになり、そのため、牛が転倒することが防止される。
【００１１】
また、必要に応じ、上記突出部の上面の直径ｄを、１０ｍｍ≦ｄ≦１８０ｍｍにした構成としている。望ましくは、ｄ＝８４±１０ｍｍとしている。これにより、突出部の側面をテーパ状にすることができ、側面の傾斜角度を適正角度にすることができる。
【００１２】
更に、必要に応じ、無機質コンクリートで形成された基礎と、該基礎を被覆する樹脂コンクリートで形成された被覆層とを備え、上記突出部を被覆層で形成した構成としている。基礎を全て被覆層で被覆するので、床面を樹脂コンクリートで形成することができる。樹脂コンクリートなので、床面と牛の蹄との摩擦力が向上され、滑りにくくなる。これにより、基礎が滑り止め加工されていないコンクリートであっても、基礎が露出することがないので、牛が歩行中に滑って転倒することを確実に防止することができる。また、樹脂コンクリートとしては、例えば、メタクリレート系樹脂コンクリート，水系ウレタン樹脂コンクリート及びエポキシ系樹脂コンクリート等が用いられ、これらの樹脂コンクリートは、水が浸透しにくく、雑菌が入り込みにくい等の特性を持っているので、基礎にマットを敷設したものと比較して、衛生面が向上させられる。
【００１３】
更にまた、必要に応じ、上記被覆層の表面側に、粉粒状の防滑材を混入した構成としている。これにより、床面が粗く形成されるようになり、防滑材が牛の蹄と接触して、蹄と床面との摩擦係数を大きくさせるようになるので、滑り止め効果を向上させることができる。
【００１４】
また、上記目的を達成するため、本発明の牛用床の施工方法は、無機質コンクリートで形成された基礎と、樹脂コンクリートで形成され上記基礎を被覆して牛が歩行可能な床面を構成する被覆層と、該被覆層で形成され床面の一般面より突出し行列状に設けられた多数の突出部とを備えた牛用床であって、該突出部の底面の直径Ｄを、４０ｍｍ≦Ｄ≦１９０ｍｍとし、高さＨを、３ｍｍ≦Ｈ≦２０ｍｍとし、当該突出部の行列方向のピッチＰを、１００ｍｍ≦Ｐ≦２００ｍｍとした牛用床を構築する牛用床の施工方法において、上記基礎を構築する基礎構築工程と、上記基礎の表面に樹脂コンクリートを被覆して基盤を形成する基盤形成工程と、上記基盤の表面に樹脂コンクリートにより突出部を形成する突出部形成工程とを備えた構成としている。
【００１５】
これにより、牛用床を施工するときは、基礎構築工程により、基礎を構築する。基礎を構築することにより、どのような場所にも牛用床を施工することができる。そして、基盤形成工程により、この基礎の表面に、樹脂コンクリートを塗布して被覆する。基礎を樹脂コンクリートで全て被覆するので、床面と牛の蹄との摩擦力が向上され、滑りにくくなる。また、例えば、塗布した樹脂コンクリートの表面に、更に樹脂コンクリートを塗布する等して、樹脂コンクリートを複数段積層させて基盤を形成した場合は、複数段積層させることにより、基盤を平滑に形成できるとともに、例えば、各層の樹脂コンクリートを異なる材質で構成することができ、この場合、基礎と接する樹脂コンクリートや、床面を形成する樹脂コンクリート等を、適切な材質で構成することができる。基盤を形成したら、突出部形成工程により、突出部を形成する。突出部は、樹脂コンクリートで、底面の直径Ｄを４０ｍｍ≦Ｄ≦１９０ｍｍ、高さＨを、３ｍｍ≦Ｈ≦２０ｍｍの円錐台に形成する。この突出部を、行列状に多数設ける。この多数の突出部によって、床面に、牛の歩行に対する滑り止め効果を付すことができる。
【００１６】
そして、必要に応じ、上記突出部形成工程を、突出部本体を型成形する突出部本体成形工程と、該突出部本体の表面を上記露出した基盤の表面とともに樹脂コンクリートで被覆する仕上げ工程とを備えて構成し、上記突出部本体成形工程において、板状の本体に貫通して設けられ上記突出部本体に対応した形状の凹部を有した型を用い、上記基盤に上記型を複数敷設し、この敷設された型の凹部に流状の樹脂コンクリートを流し込み、その後、固化させた後、型を引き剥がして突出部本体を成形する構成としている。これにより、突出部を形成するときは、先ず、突出部本体成形工程により、突出部本体を型成形し、次に、仕上げ工程により、突出部本体及び基盤の表面に樹脂コンクリートを塗布して仕上げる。仕上げをすることにより、一般面に突出部をより強固に設けることができるとともに、長期間使用しても床面が劣化しにくくなる。また、型を用いて突出部本体を成形するので、広範囲に突出部本体を成形するときでも、突出部本体を同じ形状且つ同じ大きさに成形できるとともに、各突出部本体の行列方向のピッチを同じにすることができる。また、型に樹脂コンクリートを流し込むだけで良いので、比較的簡易に突出部本体を成形することができる。
【００１７】
また、必要に応じ、上記仕上げ工程において、樹脂コンクリートに、粉粒状の防滑材を混入した構成としている。これにより、床面が粗く形成されるようになり、防滑材が牛の蹄と接触して、蹄と床面との摩擦係数を大きくさせるようになるので、滑り止め効果を向上させることができる。
【００１８】
更に、必要に応じ、上記突出部を円錐台状に形成した構成としている。これにより、突出部の側面がテーパ状になるので、牛が歩行する際、牛の蹄が隣接する突出部間に入り込みやすくなるとともに、牛の蹄が突出部の側面に強く当たったとき、蹄は突出部の上面に乗り上げるようになり、そのため、牛が躓いて転倒することを防止することができる。また、蹄が突出部の上面に乗ったときは、突出部の上面は平面なので、蹄が滑ることがあるが、突出部の側面がテーパ状になっているので、蹄は滑り落ちて、隣接する何れかの突出部の側面に衝止されるようになり、そのため、牛が転倒することが防止される。更に、蹄の一部のみが突出部の上面に乗ったとき、特に、踵が乗ったときは、前方に滑ることがあるが、このときも突出部の側面がテーパ状になっているので、蹄は滑り落ちて、隣接する前方の突出部の側面に衝止され、牛が転倒することが防止される。更にまた、蹄の一部、特に、蹄の爪先や横部が突出部の上面に乗ったときは、横滑りすることがあるが、このときも突出部の側面がテーパ状になっているので、蹄は滑り落ちて、隣接する何れかの突出部の側面に衝止されるようになり、そのため、牛が転倒することが防止される。
【００１９】
更にまた、必要に応じ、上記突出部の上面の直径ｄを、１０ｍｍ≦ｄ≦１８０ｍｍにした構成としている。これにより、突出部の側面をテーパ状にすることができ、側面の傾斜角度を適正角度にすることができる。
【００２０】
そして、また、必要に応じ、上記基盤を、種類の異なる複数の樹脂コンクリートを積層して形成した構成としている。これにより、各層の樹脂コンクリートを異なる材質で構成することができ、基礎と接する樹脂コンクリートや、床面を形成する樹脂コンクリート等を、適切な材質で構成することができる。
【発明の効果】
【００２１】
本発明の牛用床及びその施工方法によれば、牛が歩行すると、多数設けられた突出部のうち、隣接する突出部間に、牛の蹄の全部若しくは一部が入り込むようになるとともに、入り込んだ牛の蹄が突出部の側面に衝止されて動きが規制されるようになるので、蹄が滑って、牛が転倒することが防止され、牛の転倒に伴う、股割れ等の怪我を防止でき、そのため、牛の品質が低下することを防止することができる。
【発明を実施するための最良の形態】
【００２２】
以下、添付図面に基づいて本発明の実施の形態に係る牛用床及びその施工方法を説明する。図１乃至図４には、本発明の実施の形態に係る牛用床Ｙを示している。本牛用床Ｙの基本的構成は、基礎１と、被覆層１０とを備えてなる。
【００２３】
基礎１は、図１に示すように、無機質コンクリートで形成され、牛を一時的に停留させる場所に形成される。この基礎１は、表面が平面で平滑に形成されている。
【００２４】
被覆層１０は、図１乃至図４に示すように、樹脂コンクリートで形成され、基礎１を被覆している。また、樹脂コンクリートには、粉粒状の防滑材１１が混入されている。この被覆層１０は、基盤２０と、突出部３０とで構成されている。
【００２５】
基盤２０は、図１に示すように、粉粒状の骨材が混入された樹脂コンクリートを複数段に積層させて形成されている。実施の形態では、基礎１に接している最下段の第一層２１は、１ｍｍ以下のメタクリレート系樹脂コンクリートプライマーで構成され、ある程度基礎１に浸み込む。第一層２１より１つ上段の第二層２２は、１ｍｍ程度のメタクリレート系樹脂コンクリートプライマーで構成されている。更にその１つ上段の第三層２３は、約５〜１５ｍｍ程度のメタクリレート系樹脂コンクリートで構成されている。そして、第四層２４は、上記と同様のメタクリレート系樹脂コンクリートプライマーで構成されている。第五層２５は、上記の第三層２３と同様のメタクリレート系樹脂コンクリート主剤で構成されている。最上段の第六層２６は、上記と同様のメタクリレート系樹脂コンクリートプライマーで構成されている。
【００２６】
突出部３０は、図１乃至図４に示すように、牛が歩行可能な床面１２の一般面２８より突出して行列状に多数設けられている。具体的には、突出部３０は、突出部本体３５と、仕上げ層３６とで形成されている。突出部本体３５は、粉粒状の骨材が混入された樹脂コンクリートで成形されている。仕上げ層３６は、樹脂コンクリートで形成され、突出部本体３５の表面を、露出した基盤２０の表面とともに被覆している。
この突出部３０は、底面３１の直径Ｄが、４０ｍｍ≦Ｄ≦１９０ｍｍ、上面３２の直径ｄが、１０ｍｍ≦ｄ≦１８０ｍｍ、高さＨが、３ｍｍ≦Ｈ≦２０ｍｍの円錐台状に形成されている。符号３３は、突出部３０の側面である。また、各突出部３０は、その行列方向のピッチＰを、１００ｍｍ≦Ｐ≦２００ｍｍにして設けられている。望ましくは、Ｄ＝１００±１０ｍｍ、ｄ＝８４±１０ｍｍ、Ｈ＝８±２ｍｍに形成され、Ｐ＝１５０±１０ｍｍにして設けられている。実施の形態では、突出部３０を、底面３１の直径Ｄを１０２ｍｍ，上面３２の直径ｄを８６ｍｍ，高さＨを９ｍｍの円錐台状に形成している。このとき、仕上げ層３６の厚さを約１ｍｍに形成している。また、この各突出部３０は、その行列方向のピッチＰを１５０ｍｍにして設けられている。
【００２７】
次に、この牛用床の施工方法について説明する。本施工方法は、図５乃至図９に示すように、基礎１を構築する基礎構築工程４０と、基礎１の表面に樹脂コンクリートを被覆して基盤２０を形成する基盤形成工程５０と、基盤２０の表面に樹脂コンクリートにより突出部３０を形成する突出部形成工程６０とを備えて構成されている。以下に、各工程について、詳細に説明する。
【００２８】
基礎構築工程４０は、図５及び図６（Ａ）に示すように、牛を一時的に停留させる場所に形成される。施工場所の地面に、無機質コンクリート材を塗布し、周知の方法で、乾燥させて固化させる。牛や人が歩行できるような強度にする。
【００２９】
基盤形成工程５０は、図５，図６（Ｂ），図６（Ｃ）及び図６（Ｄ）に示すように、基礎構築工程４０で構築された基礎１の表面に、メタクリレート系樹脂コンクリートプライマーを、周知の方法で塗布して第一層２１を形成する。このメタクリレート系樹脂コンクリートプライマーは、基礎１に含浸するものである。そして、この第一層２１の表面に、メタクリレート系樹脂コンクリートプライマーを塗布して第二層２２を形成する。同様に、第二層２２の表面に、メタクリレート系樹脂コンクリートを流し込んで第三層２３を形成する。第二層２２によって、第一層２１と第三層２３とを接着させている。この第三層２３の表面に、メタクリレート系樹脂コンクリートプライマーを塗布して第四層２４を形成し、この第四層２４の表面に、メタクリレート系樹脂コンクリート主剤を流し込んで第五層２５を形成する。第四層２４によって、第三層２３と第五層２５とを接着させている。この第五層２５の表面に、メタクリレート系樹脂コンクリートプライマーを塗布して最上段となる第六層２６を形成する。
【００３０】
突出部形成工程６０は、図５及び図７乃至図９に示すように、突出部本体３５を型成形する突出部本体成形工程６１と、突出部本体３５の表面を露出した基盤２０の表面とともに樹脂コンクリートで被覆する仕上げ工程６２とを備えて構成されている。
突出部本体成形工程６１は、図５，図７，図８，図９（Ｅ）及び図９（Ｆ）に示すように、基盤形成工程５０で形成された基盤２０の第六層２６の表面に、板状の本体５２に突出部３０の形状に対応した底面５３ａの直径Ｄａが、４０ｍｍ≦Ｄａ≦１９０ｍｍ、上面５３ｂの直径ｄａが、１０ｍｍ≦ｄａ≦１８０ｍｍ、高さＨａが、３ｍｍ≦Ｈａ≦２０ｍｍの円錐台状に貫通して設けられた凹部５３を有した型５１を敷設する。実施の形態では、凹部５３を、底面５３ａの直径Ｄａを１００ｍｍ，上面５３ｂの直径ｄａを８４ｍｍ，高さＨａを８ｍｍの円錐台状に形成している。この型５１は、上記の形状の凹部５３を４つ有したものを使用し、型５１を複数使用して基盤２０の第六層２６の表面を全て覆うように敷設する。型５１を敷設したら、型５１の凹部５３からメタクリレート系樹脂コンクリート主剤を流し込み、周知の方法で乾燥させて固化させる。固化したら、型５１を基盤２０から引き剥がす。この型５１の基盤２０と接する面には、簡易型接着剤が設けられており、これによって、型５１を基盤２０から容易に引き剥がすことができる。また、突出部本体３５を、基盤２０の第六層２６によって第五層２５と接着させている。
【００３１】
仕上げ工程６２は、図５及び図９（Ｇ）に示すように、基盤形成工程５０で形成された基盤２０の露出した表面と、突出部本体成形工程６１で成形された突出部本体３５の表面とに、先ず、防滑材１１を散布しながら、メタクリレート系樹脂コンクリートコーティング剤を塗布し、周知の方法で乾燥させて固化させ、それから、更にメタクリレート系樹脂コンクリートコーティング剤のみを塗布し、仕上げ層３６を形成する。仕上げ層３６は、その厚さを、例えば、１ｍｍ程度に薄く形成する。この仕上げ層３６の表面で、床面１２を形成している。
【００３２】
このようにして施工された牛用床Ｙは、多数設けられた突出部３０のうち、隣接する突出部３０間に、牛の蹄の全部若しくは一部が入り込むようになるとともに、入り込んだ牛の蹄が突出部３０の側面３３に衝止されて動きが規制されるようになる。この場合、高さＨを上記の範囲内に設定することにより、入り込んだ牛の蹄が突出部３０の側面３３に確実に衝止されるようになる。即ち、牛が歩行する際、隣接する突出部３０間に蹄が入り込むようになり、これにより、蹄の床面１２上の動きが規制されるので、蹄が滑って、牛が転倒することが防止され、牛の転倒に伴う、股割れ等の怪我を防止でき、そのため、牛の品質が低下することを防止することができる。
【００３３】
また、牛が歩行する際、突出部３０が円錐台状に形成されているので、牛の蹄が隣接する突出部３０間に入り込みやすくなるとともに、牛の蹄が突出部３０の側面３３に強く当たったとき、蹄は突出部３０の上面３２に乗り上げるようになり、そのため、牛が躓いて転倒することを防止することができる。また、蹄が突出部３０の上面３２に乗ったときは、突出部３０の上面３２は平面なので、蹄が滑ることがあるが、突出部３０の側面３３がテーパ状になっているので、蹄は滑り落ちて、隣接する何れかの突出部３０の側面３３に衝止されるようになり、そのため、牛が転倒することが防止される。更に、蹄の一部のみが突出部３０の上面３２に乗ったとき、特に、踵が乗ったときは、前方に滑ることがあるが、このときも突出部３０の側面３３がテーパ状になっているので、蹄は滑り落ちて、隣接する前方の突出部３０の側面３３に衝止され、牛が転倒することが防止される。更にまた、蹄の一部、特に、蹄の爪先や横部が突出部３０の上面３２に乗ったときは、横滑りすることがあるが、このときも突出部３０の側面３３がテーパ状になっているので、蹄は滑り落ちて、隣接する何れかの突出部３０の側面３３に衝止されるようになり、そのため、牛が転倒することが防止される。
【００３４】
更に、床面１２を形成する仕上げ層３６に粉粒状の防滑材１１を混入させているので、床面１２が粗く形成されるようになり、防滑材１１が牛の蹄と接触して、蹄と床面１２との摩擦係数を大きくさせるようになるので、滑り止め効果を向上させることができる。
【００３５】
尚、上記実施の形態において、基盤２０を複数段積層させて形成したが、必ずしもこれに限定されるものではなく、積層させなくても良く、適宜変更して差支えない。
また、上記実施の形態において、基盤２０の各層を異なる樹脂コンクリートで形成したが、必ずしもこれに限定されるものではなく、全て同じ樹脂コンクリートで形成しても良く、適宜変更して差支えない。また、各層を異なる樹脂コンクリートで形成した場合でも、各層を形成する樹脂コンクリートは、上記の樹脂コンクリートに限定されず、どのような樹脂コンクリートでも良い。
【００３６】
尚また、上記実施の形態において、各突出部３０の行列方向のピッチＰを１５０ｍｍとしたが、このピッチＰは、突出部の大きさに対応して変動するため、必ずしも上記の範囲に限定されるものではない。
更に、上記実施の形態において、型５１に凹部５３を４つ設けたが、必ずしもこれに限定されるものではなく、幾つ設けても良く、適宜変更して差支えない。
【図面の簡単な説明】
【００３７】
【図１】本発明の実施の形態に係る牛用床を示す側面断面図である。
【図２】本発明の実施の形態に係る牛用床の床面を示す斜視図である。
【図３】本発明の実施の形態に係る牛用床の床面を示す平面図である。
【図４】本発明の実施の形態に係る牛用床を、その使用状態とともに示す図である。
【図５】本発明の実施の形態に係る牛用床の施工方法を示すフローチャートである。
【図６】本発明の実施の形態に係る牛用床の施工方法を示し、（Ａ）は基礎構築工程、（Ｂ）は基盤形成工程のうち第一層を形成した状態、（Ｃ）は基盤形成工程のうち第二層を形成した状態、（Ｄ）は基盤形成工程で基盤を形成した状態を示す図である。
【図７】本発明の実施の形態に係る型を示す斜視図である。
【図８】本発明の実施の形態に係る型を示す図７中Ａ−Ａ断面図である。
【図９】本発明の実施の形態に係る牛用床の施工方法を示し、（Ｅ）は突出部本体成形工程のうち型を基盤に敷設した状態、（Ｆ）は突出部本体成形工程で突出部本体を成形した状態、（Ｇ）は仕上げ工程で仕上げ層を形成した状態を示す図である。
【図１０】従来の牛用床の一例を示す側面断面図である。
【図１１】従来の牛用床の一例を示す平面図である。
【図１２】従来の牛用床の一例を示す斜視図である。
【符号の説明】
【００３８】
Ｙ  牛用床
１  基礎
１０  被覆層
１１  防滑材
１２  床面
２０  基盤
２１  第一層
２２  第二層
２３  第三層
２４  第四層
２５  第五層
２６  第六層
２８  一般面
３０  突出部
３１  底面
３２  上面
３３  側面
３５  突出部本体
３６  仕上げ層
４０  基礎構築工程
５０  基盤形成工程
５１  型
５２  本体
５３  凹部
５３ａ  底面
５３ｂ  上面
６０  突出部形成工程
６１  突出部本体成形工程
６２  仕上げ工程
【図１】
0004550123.tif 000002
【図２】
0004550123.tif 000003
【図３】
0004550123.tif 000004
【図４】
0004550123.tif 000005
【図５】
0004550123.tif 000006
【図６】
0004550123.tif 000007
【図７】
0004550123.tif 000008
【図８】
0004550123.tif 000009
【図９】
0004550123.tif 000010
【図１０】
0004550123.tif 000011
【図１１】
0004550123.tif 000012
【図１２】
0004550123.tif 000013